(57)【要約】      （修正有）【課題】製造・操作が簡単であって、化粧水・パック剤の肌への浸透効率の向上が図られるフェイスキャップを、経済的に提供する。【解決手段】本フェイスキャップ１０は、非通気性・柔軟性を有する透明な複数の通気孔５１，５２，５３を穿孔した円形フイルムと、該円形フイルムの周縁に伸縮紐を取り付けてシャーリングした開口部７５を有している。そして、フェイスキャップ１０の開口部７５に使用者が顔面を挿入したとき、フェイスキャップは首顎部から顔面を含む後頭部までを被覆し、通気孔は顔面の目、鼻、口対応部に対応した構成を具備する。【選択図】図１
0003168078.tif 000002
【実用新案登録請求の範囲】
【請求項１】
非通気性・柔軟性を有する透明な円形フイルムと伸縮紐とよりなり、円形フイルムの周縁に伸縮紐を取り付けてシャーリングした開口部を形成したフェイスキャップにおいて、
前記円形フイルムには複数の通気孔が形成されているとともに、前記開口部に顔面を挿入したとき、該フェイスキャップは首部分から顔面を含む後頭部までを被覆するよう構成されてなるフェイスキャップ。
【請求項２】
前記フェイスキャップを顔面を含む頭部に装着したとき、前記通気孔は顔面の目、鼻、口対応部に形成されてなる請求項１記載のフェイスキャップ。
【請求項３】
前記フェイスキャップを顔面を含む頭部に装着したとき、前記通気孔は目、鼻、口対応部と顔面周縁対応部に形成されてなる請求項１記載のフェイスキャップ。
【請求項４】
前記フェイスキャップには取り付け位置を示す目印が形成されていることを特徴とするフェイスキャップ。
【請求項５】
前記開口部には垂下被覆部が連接されており、該連接垂下被覆部は、フェイスキャップを顔面を含む頭部に装着したとき、前記開口部を覆い、使用者の後頭部から首筋までを被覆するよう構成されてなる請求項１記載のフェイスキャップ。
【請求項６】
前記開口部にはデコルテ被覆部が連接されており、該デコルテ被覆部は、フェイスキャップを顔面を含む頭部に装着したとき、使用者の首部分から胸部上部までを被覆するよう構成されてなる請求項１記載のフェイスキャップ。
【考案の詳細な説明】
【技術分野】
【０００１】
本考案はパック剤・化粧水などの保湿効果を高めるために、顔面を被覆するキャップに関する。
【背景技術】
【０００２】
顔面形状のシートに化粧水・パック剤を含浸・塗布して包装された簡易式パック用具が販売されている。これにより、プロフェッショナルなエステティシャンに拠らなくとも、手軽に自分で手入れができる。
しかし、パック剤・化粧水が湿潤状態の間はシートは顔面に付着した状態となっているが、パック剤や化粧水が乾燥し始めると、顔表面からパックシートがはがれてしまう不都合が発生した。また、顔は凹凸のある立体的な形状をしているが、パックシートは平板状であるため、使用者が起立状態でパックシートを顔面に貼り付けて手入れ作業を行うと、平板状のシートが顔面の丸み形状に沿うことが出来ない部分から、パック剤や化粧水が滴り落ちることがあった。
【０００３】
そこで、顔面を保護する顔マスクとして下記の文献が開示されている。
そのうち、特許文献１にはパックシートの乾燥を防ぐ目的で、パックシートを貼り付けた顔面を覆うカバー部を有する顔マスクが開示されている。しかし、開示されている顔マスクはマスクの固定手段として両側部に止着部材を挿通する構成となっており、構成が複雑であることから高価となった。また、このマスクを使用する場合、顔面に固定する操作が繁雑であった。
自宅でおこなう顔の手入れは、時間的な制約もあって、操作が簡便であってかつ確実な顔面への貼着ができ、経済的な用具が望まれていた。
【先行技術文献】
【特許文献】
【０００４】
【特許文献１】特開２００８−１２５７０８号公報
【特許文献２】特開２００３−２７５０２４号公報
【考案の概要】
【考案が解決しようとする課題】
【０００５】
そこで、本案は製造・操作が簡単であって、化粧水・パック剤の肌への浸透効率の向上を図ることができるフェイスキャップを、経済的に提供するものである。
【課題を解決するための手段】
【０００６】
上記課題を解決すべく、本考案のフェイスキャップは、非通気性・柔軟性を有する透明なフイルムに複数の通気孔を形成した円形フイルムと、円形フイルムの周縁に取り付けてシャーリングした開口部を形成する伸縮紐とを有している。そして、フェイスキャップの開口部に使用者が顔面を挿入したとき、該フェイスキャップは首部分から顔面を含む後頭部までを被覆する構成となっている。
前記通気孔は顔面の目、鼻、口対応部に形成されている形態、又は目、鼻、口対応部と周縁部に形成されている形態を有する。
さらに、前記開口部、あるいは顔面対応部に取り付け位置を示す目印が形成されている構成を具備する。また、開口部に垂下被覆部、またはデコルテ被覆部を連接し、使用者の後頭部から首筋までを、または、後頭部から顔面、そして胸部上部までを被覆する構成を具備する。
【考案の効果】
【０００７】
本考案のフェイスキャップは、化粧水・パック剤の乾燥を阻止して化粧水・パック剤の肌への浸透効率を良くする。また、透明なフェイスキャップを通して化粧水・パック剤の乾燥状況が確認できる。
また、顔面とともに、頭髪へのトリートメント、および首筋、胸部の上部の化粧水・パック剤の浸透効率の向上が同時に達成できる。
さらに、本考案のフェイスキャップは、製造・操作が簡単であって経済的に提供できる。
【図面の簡単な説明】
【０００８】
【図１】本考案のフェイスキャップの表面図
【図２】本考案のフェイスキャップの背面図
【図３】本考案のフェイスキャップの材料説明図
【図４】フェイスキャップの使用状態説明図
【図５】フェイスキャップの使用状態説明図
【図６】シートＳの説明図
【図７】実施例２のフイルムの説明図
【図８】実施例３のフェイスキャップの背面図
【図９】実施例３のフェイスキャップの使用説明図
【図１０】フイルムの他の例を示す平面図
【図１１】実施例４のフェイスキャップの正面図
【図１２】実施例４のフェイスキャップの背面図
【図１３】実施例４のフェイスキャップの使用状態説明図
【考案を実施するための形態】
【０００９】
本考案の実施例を図面を参照して詳述する。
【実施例１】
【００１０】
図１は本考案のフェイスキャップの表面図、図２は本考案のフェイスキャップの背面図、図３は本考案のフェイスキャップの材料説明図である。
フェイスキャップ１０は、円形フイルム５と、伸縮紐７とにより構成されている。
円形フイルム５は点Ｏを中心点として半径約２０〜３０ｃｍの円盤形状の透明・非通気性のフイルムよりなる。この大きさは、通常の大人の顔面を含んで首部分から頭部を被覆可能な大きさを有している。
円形フイルム５の中心点Ｏの下方（図３に示す円形フイルム５の下半面）には、３つの孔と、切込みを形成している。
第一の孔５１は中心線Ｑに対して左右対称位置に２つの孔５１を穿孔する。第一の孔５１の下部であって中心線Ｑ上に、略コ字型の切り込み５２、さらに、この切り込み５２の下部であって、中心線Ｑ上に第二の孔５３を穿孔している。この切り込み５２は切り込み線から開口できる構成となっている。これらの配設位置は、円形フイルム５の孔配設箇所を顔面に当てたとき、ほぼ、２つの第一の孔５１は両目の位置に、切り込み５２は鼻の凸形状に沿って持ち上がり開口するとともに、第二の孔５３は口に相当する位置となっている。
【００１１】
また、中心線Ｑが周縁部と交わる部分、図示では上部、に目印部２を配設する。この目印部２は実施例に示すような矩形の短冊、あるいは色つきの紐、伸縮紐の交差など、他の箇所とは異なって表示され、目印となるものであればいかなる形態でもよい。また、配設箇所は、中心線Ｑと周縁下部との交点としてもよい。
または、図１に示すように、第一の孔５１の斜め上部にリボン形状の模様２２をプリントなどにより形成する。このようにすることにより、使用位置を特定できるとともに、使用時の趣向を向上させる。プリントする模様は、この他、花模様、蝶・小鳥などの昆虫・小動物など、いかなる図柄であってもよい。
【００１２】
伸縮紐７は幅約３〜５ｍｍのゴム紐を使用し、ほぼ５０〜６０ｃｍの長さ寸法Ｌ、例えば、長さ寸法Ｌは円形フイルム５の円周長の１／２〜１／３となっている。伸縮紐７のこの長さ寸法Ｌは、通常の大人の後頭部から顎下（首部分）を囲周することが出来る長さとなっている。
この伸縮紐７を円形フイルム５の周縁に取り付ける。このとき、伸縮紐７を引き伸ばしながら円形フイルム周縁に取り付けるので、伸縮紐７が収縮したとき図１，２に示すように、フェイスキャップ１０は表面に３つの孔（５１，５３）、１つの切込み５２を有し、裏面は円形フイルム５の周縁をシャーリングした開口７５を形成する。
【００１３】
このように形成されるフェイスキャップ１０の使用方法を説明する。
使用者Ｐの顔面に化粧水をたっぷりとつける。
使用者Ｐの顔面にフェイスキャップ１０の開口部７５を対向させ、伸縮紐７を伸ばして首上部位置Ａから後頭部までをフェイスキャップ１０で被覆した状態で装着する。装着時、開口部７５の目印部２配設箇所をもち、目印部２に対向する開口部分を首に当て、開口部７５から顔面を挿入して目印部２を後頭部中央部分に位置させることで装着できる。
装着したフェイスキャップ１０の第一の孔５１は目の位置に、切り込み５２は鼻の位置に、第二の孔５３は口の位置に対応する。使用者Ｐはこれらの孔、および切り込みの開口を通じて、顔面全体を非通気性のキャップで被覆した状態で容易に呼吸することができるとともに、第一の孔５１から外部を見ることができる。
【００１４】
このように、フェイスキャップ１０は顔面を含む首部分から後頭部までを被覆して開口部７５の伸縮紐７により首部分から後頭部を囲周して装着され、伸縮紐７で締めているので、フェイスキャップは頭部の移動に追従でき、使用者はフェイスキャップ１０を装着したままでの行動が自由に出来る。また、目相当位置に第一の孔５１が穿孔されているので、フェイスキャップ１０を被った状態で家事・読書などを継続することで、時間の有効利用ができる。また、フェイスキャップ１０が顎下の首部分までを覆っており、かつ伸縮紐７で首上部を絞っているので、沢山の量の化粧水を使用したときであっても化粧水がキャップ１０内に溜まり外部に滴り落ちることが無い。また、フェイスキャップ１０を使用しない状況と比較して、化粧水の乾燥がかなり押さえられるとともに、体温で暖められて蒸発した化粧水は、フェイスキャップ１０内に留まり、肌は蒸発した化粧水で長時間蒸された状態となるので、化粧水の肌への浸透効率の向上が図られる。
【００１５】
冬季の乾燥雰囲気での化粧水の使用は、肌への浸透に比べ外気への蒸発が速く肌の手入れは困難であったが、本考案のフェイスキャップ１０を装着することにより外気への蒸発が抑えられ、肌への化粧水などの浸透効率が上昇する。また、装着時、目印部２を後頭部にあわせることにより、各孔５１，５３，切り込み５２は目、鼻、口位置にほぼ合致することができ、装着が容易となる。
また、フェイスキャップ１０内の化粧水・パック剤の蒸発でフェイスキャップの内面が曇る場合もあるが、目相当位置に穿孔する第一の孔５１が形成されているので、視界が確保される。
【００１６】
次に、市販のパック剤あるいは化粧水を浸み込ませたシートＳによるケアの場合を説明する。図５は使用状態説明図、図６はシートＳの説明図である。
シートＳは、ほぼ大人の顔面形状をなし、目孔Ｓ１、鼻切り込みＳ２、口孔Ｓ３が穿孔されたシートにパック剤または化粧水が浸み込ませてある。先ず、市販のパック剤、あるいは化粧水を浸み込ませたシートＳを使用者Ｐの顔面に貼付する。このとき、シートＳの目孔Ｓ１を使用者Ｐの目の位置に、鼻切り込みＳ２を使用者Ｐの鼻の位置に、シートＳの口孔Ｓ３を使用者Ｐの口の位置に対応させる。
【００１７】
シートＳを貼付した顔面上に本考案のフェイスキャップ１０を装着する。装着の仕方は、前記化粧水を付けた顔面への装着の仕方と同様である。
この場合は、シートＳの目孔Ｓ１に対応した位置にフェイスキャップ１０の第一の孔５１が、シートＳの鼻切り込みＳ２に対応した位置にフェイスキャップ１０の切り込み５２が、シートＳの口孔Ｓ３に対応した位置にフェイスキャップ１０の第二の孔５３が位置する。
【００１８】
フェイスキャップ１０は後頭部から首部分までを被覆するので、使用者Ｐは起立体勢での顔肌の手当てが可能となる。起立状態でシートＳを使用すると、シートＳから化粧水、パック剤が滴り落ちて着衣を汚すことがあったが、本考案のフェイスキャップ１０を使用することにより、シートＳから滴り落ちる化粧水、パック剤は、首部分までを被覆するフェイスキャップ１０で受け止められるので、衣服の汚れなどの危惧が無い。さらに、シートＳの化粧水・パック剤の水分により、フェイスキャップ１０は最初シートＳに貼着状態となるが、シートの乾燥が進むとフェイスキャップ１０はシートＳからはがれてくる。さらにシートＳが乾燥すると、シートＳが顔面からはがれてくる。この状態をフェイスキャップ１０を装着しながら使用者が確認できるので、手入れの終了が判断できる。このように、透明なフェイスキャップ１０を通してシートＳの乾燥状況が確認できる。
【００１９】
なお、第一の孔、第二の孔の孔周縁に輪郭線を入れてもよい。輪郭線を入れることにより、装着時、フェイスキャップの左右・上下を取り違えることがなくなる。
【実施例２】
【００２０】
この実施例では、円形フイルム５Ａに、目、鼻、口相当部分の第一の孔５１、切り込み５２、第二の孔５３の他に、小孔５５を穿孔している。
小孔５５はフイルム５Ａの周縁から第二の孔５３までの距離Ｍの位置に複数穿孔している。小孔５５はほぼ直径２〜５ｍｍとする。
このように小孔５５を形成することにより、使用者が間違ってフェイスキャップの天地を逆に装着した場合であっても、第二の孔５３位置（口の位置）に小孔５５があるので、呼吸に支障をきたすことがない。
この小孔からは空気の出入はできるが、化粧水、パック剤が流出することは出来ない。
【００２１】
本考案のフェイスキャップ１０を長時間使用することにより、実施例１と同様にパック剤、化粧水の肌への浸透が良好となる。フェイスキャップ１０には第一の孔５１、切り込み５２、第二の孔５３が形成されているので、呼吸に問題は無いが、さらに複数の小孔５５を形成することにより、装着位置を違えた場合においても空気の流通路が確保される。小孔による空気孔の増設により、長時間の手入れを希望する使用者Ｐは呼吸の心配なくフェイスキャップの装着を長時間化できる。
このように、この実施例に示すフェイスキャップはより長時間の装着を可能とする。
【実施例３】
【００２２】
この実施例は、フェイスキャップに髪被覆部を連設している。
フェイスキャップ２０の開口部７５の上部に垂下被覆部３０を連設する。垂下被覆部３０は円形フイルムと同じ素材、透明・非通気性の柔軟フイルムよりなる。垂下被覆部３０は開口部７５の後頭部相当部分に熱溶着、貼着などの連設手段にて固着される。円形フイルムに伸縮紐を取り付ける段階で一緒に取り付けてもよい。使用者Ｐがフェイスキャップ２０を装着したとき、垂下被覆部３０は後頭部の開口７５から垂れ下がって後頭部から首筋（襟足）までの露出部分を被覆する大きさ・長さを有する。
【００２３】
使用者Ｐが洗髪し、コンデイショナーを頭髪に塗布した後、本考案のフェイスキャップを装着したとき、フェイスキャップ２０が顔面を含むこめかみから後頭部までを被覆し、垂下被覆部３０が後頭部から首筋までを被覆できるので、コンデイショナーを塗布した頭髪の乾燥を防止し、コンデイショナーの頭髪への浸透効率を高める。
このように形成するフェイスキャップ２０は、顔面の乾燥防止とともに、頭髪乾燥防止が同時に可能となる。
【００２４】
ここで、垂下被覆部３０は円形フイルムとは別体に形成した例を示したが、図１０に示すように、円形フイルム５Ｂに垂下被覆部３０となる部分を連結した構成としてもよい。
【実施例４】
【００２５】
この実施例は、フェイスキャップにデコルテ被覆部を連設している。
フェイスキャップ４０の開口部７５の下部にデコルテ被覆部４５を連設する。デコルテ被覆部４５は円形フイルムと同じ素材、透明・非通気性の柔軟フイルムよりなり、開口部７５の首上部相当部分に熱溶着、貼着などの連設手段にて固着される。円形フイルムに伸縮紐を取り付ける段階で一緒に取り付けてもよいし、実施例３に例示するように、円形フイルムにデコルテ被覆部となる部分を連結した構成としてもよい。このデコルテ被覆部４５は顎下から首部、胸部の上部の範囲を被覆できる大きさであればよい。この実施例では、ほぼ長さＶ＝２０ｃｍ，幅寸法Ｗ＝３０ｃｍ程度の大きさとしている。
この顎下に垂下するデコルテ被覆部４５は、使用者Ｐがフェイスキャップ４０を装着したとき、開口７５から垂れ下がって首部分から胸部上部までの通称デコルテ部分の露出部分を被覆する。
【００２６】
使用者Ｐは、顔面、首部分、胸部上部部分に化粧水、あるいはパック剤を塗布した後、本考案のフェイスキャップ４０を装着したとき、フェイスキャップ４０が顔面を含む後頭部までを被覆し、デコルテ被覆部４５が首から胸部の上部までを被覆できるので、デコルテ部分を含めての乾燥を防止し、顔・首・胸部分の化粧水、パック剤の肌への浸透効率を高める。
【産業上の利用可能性】
【００２７】
本フェイスキャップは、製造が簡単であって経済的に提供できる。また、使用方法も容易である。特に乾燥時期での肌の手入れには有効である。
【符号の説明】
【００２８】
２，２２  目印部
５  円形フイルム
１０，２０，４０  フェイスキャップ
３０  髪被覆部
４５  デコルテ被覆部
５１  第一の孔
５２  切り込み
５３  第二の孔
５５  小孔
７５  開口部
【図１】
0003168078.tif 000003
【図２】
0003168078.tif 000004
【図３】
0003168078.tif 000005
【図４】
0003168078.tif 000006
【図５】
0003168078.tif 000007
【図６】
0003168078.tif 000008
【図７】
0003168078.tif 000009
【図８】
0003168078.tif 000010
【図９】
0003168078.tif 000011
【図１０】
0003168078.tif 000012
【図１１】
0003168078.tif 000013
【図１２】
0003168078.tif 000014
【図１３】
0003168078.tif 000015
【手続補正書】
【提出日】平成23年3月18日(2011.3.18)
【手続補正１】
【補正対象書類名】実用新案登録請求の範囲
【補正対象項目名】全文
【補正方法】変更
【補正の内容】
【実用新案登録請求の範囲】
【請求項１】
非通気性・柔軟性を有する透明な円形フイルムと伸縮紐とよりなり、円形フイルムの周縁に伸縮紐を取り付けてシャーリングした開口部を形成したフェイスキャップにおいて、
前記円形フイルムには複数の通気孔が形成されているとともに、前記開口部に顔面を挿入したとき、該フェイスキャップは首部分から顔面を含む後頭部までを被覆するよう構成されてなるフェイスキャップ。
【請求項２】
前記フェイスキャップを顔面を含む頭部に装着したとき、前記通気孔は顔面の目、鼻、口対応部に形成されてなる請求項１記載のフェイスキャップ。
【請求項３】
前記フェイスキャップを顔面を含む頭部に装着したとき、前記通気孔は目、鼻、口対応部と顔面周縁対応部に形成されてなる請求項１記載のフェイスキャップ。
【請求項４】
前記フェイスキャップには取り付け位置を示す目印が形成されていることを特徴とする請求項１ないし３記載のフェイスキャップ。
【請求項５】
前記開口部には垂下被覆部が連接されており、該連接垂下被覆部は、フェイスキャップを顔面を含む頭部に装着したとき、前記開口部を覆い、使用者の後頭部から首筋までを被覆するよう構成されてなる請求項１記載のフェイスキャップ。
【請求項６】
前記開口部にはデコルテ被覆部が連接されており、該デコルテ被覆部は、フェイスキャップを顔面を含む頭部に装着したとき、使用者の首部分から胸部上部までを被覆するよう構成されてなる請求項１記載のフェイスキャップ。